(57)【要約】【課題】固体光源の温度を適切に調整できる画像表示装置を提供すること。【解決手段】プロジェクターは、複数の固体光源を有する第１光源群Ｒ１，Ｇ１，Ｂ１と、複数の固体光源を有し、第１光源群よりも長波長側にピーク波長を有する光を出射する第２光源群Ｒ２，Ｇ２，Ｂ２と、第１光源群を冷却する第１調整部５Ｒ１，５Ｇ１，５Ｂ１と、第２光源群を冷却する第２調整部５Ｒ２，５Ｇ２，５Ｂ２と、第１調整部及び第２調整部を制御する制御装置とを備え、２次元画像形成時には、第１光源群及び第２光源群から出射される光のピーク波長を近づけるように、３次元画像形成時には、ピーク波長を離すように、第１調整部及び第２調整部を制御する。【選択図】図４
2014035376.tif 000002
【特許請求の範囲】
【請求項１】
入力される画像情報に応じた画像を表示する画像表示装置であって、
光源装置と、
前記光源装置から出射された光を変調して前記画像を形成する光変調装置と、
前記光源装置の温度を調整する温度調整装置と、
前記温度調整装置を制御する制御装置とを備え、
前記光源装置は、
赤色、緑色及び青色の少なくともいずれかの波長領域にピーク波長を有する光を出射する第１固体光源と、
前記波長領域で、かつ、前記第１固体光源から出射される光が有するピーク波長より長波長側にピーク波長を有する光を出射する第２固体光源とを備え、
前記温度調整装置は、
前記第１固体光源の温度を調整する第１調整部と、
前記第２固体光源の温度を調整する第２調整部とを備え、
前記制御装置は、前記第１調整手段及び前記第２調整手段を個別に制御して、前記第１調整部に前記第１固体光源の温度を調整させ、前記第２調整部に前記第２固体光源の温度を調整させる
ことを特徴とする画像表示装置。
【請求項２】
請求項１に記載の画像表示装置において、
前記第１固体光源及び前記第２固体光源の少なくともいずれかの温度を検出する温度検出装置を備え、
前記制御装置は、前記温度検出装置による検出結果に基づいて、前記第１調整部及び前記第２調整部に、前記第１固体光源及び前記第２固体光源のそれぞれの温度を調整させる
ことを特徴とする画像表示装置。
【請求項３】
請求項１又は請求項２に記載の画像表示装置において、
前記制御装置は、
前記画像情報が、第１画像により構成される情報であるか、それぞれ異なる第２画像及び第３画像を含む情報であるかを判定する画像判定部と、
前記画像判定部による判定結果に基づいて、前記温度調整装置を制御する調整制御部とを備え、
前記調整制御部は、
前記画像判定部により、前記画像情報が前記第１画像により構成される情報であると判定されると、前記第１調整手段及び前記第２調整手段を制御して、前記第１固体光源のピーク波長と、前記第２固体光源のピーク波長とが近付くように、前記第１固体光源及び前記第２固体光源の温度を調整し、
前記画像判定部により、前記画像情報が前記第２画像及び前記第３画像を含む情報であると判定されると、前記第１調整手段及び前記第２調整手段を制御して、前記第１固体光源のピーク波長と、前記第２固体光源のピーク波長とが離れるように、前記第１固体光源及び前記第２固体光源の温度を調整する
ことを特徴とする画像表示装置。
【請求項４】
請求項１から請求項３のいずれかに記載の画像表示装置において、
前記第１調整部及び前記第２調整部は、前記第１固体光源及び前記第２固体光源のうち、対応する固体光源に接続される放熱体をそれぞれ備え、
前記温度調整装置は、前記第２固体光源に接続される前記放熱体、及び、前記第１固体光源に接続される前記放熱体に冷却媒体を送出する媒体送出手段を備え、
前記第２固体光源に接続される前記放熱体は、前記第１固体光源に接続される前記放熱体に対して、前記媒体送出手段により送出される冷却媒体の流路における上流側に配置される
ことを特徴とする画像表示装置。
【発明の詳細な説明】
【技術分野】
【０００１】
本発明は、画像表示装置に関する。
【背景技術】
【０００２】
従来、画像表示装置として、光源と、当該光源から出射された光を変調する光変調装置と、変調された光をスクリーン等の被投射面上に拡大投射する投射光学装置とを備えたプロジェクターが知られている。このようなプロジェクターとして、光源として採用された固体光源の温度制御を行うプロジェクターが知られている（例えば、特許文献１参照）。
【０００３】
この特許文献１に記載のプロジェクターは、赤、緑及び青の色光をそれぞれ出射する固体光源を１つずつ備える他、これら固体光源のそれぞれに設けられ、当該固体光源の温度を検出する温度検出装置（温度センサー）と、当該固体光源の温度を調整する温度調整装置（ファン）とが設けられている。
ここで、固体光源は、温度変化に応じて出力波長が変化する。例えば、固体光源の温度が高くなれば、出力される光におけるピーク波長は長波長側にシフトし、温度が低くなれば、当該ピーク波長は短波長側にシフトする。このような出力波長の変化に対して、当該プロジェクターは、温度検出装置によって検出された光源の温度に応じて、当該光源の温度が設定温度となるように温度調整装置を制御して、温度変化を抑制することで出力波長の変化を抑制している。
【先行技術文献】
【特許文献】
【０００４】
【特許文献１】特開２００７−１５６４３８号公報
【発明の概要】
【発明が解決しようとする課題】
【０００５】
ところで、所定の波長にピークを有するように製造された固体光源でも、同条件で点灯させた場合に、個体差によるピーク波長のずれが生じる場合がある。
このため、出射される光の輝度を高めることを目的として、光源装置に複数の固体光源を採用した場合に、前述の特許文献１に記載の温度調整装置の構成では、各固体光源に応じた温度制御を実行することが困難であり、各固体光源のピーク波長のずれを補正することが困難であるという問題がある。
【０００６】
本発明の目的は、固体光源の温度を適切に調整できる画像表示装置を提供することである。
【課題を解決するための手段】
【０００７】
本発明の一態様に係る画像表示装置は、入力される画像情報に応じた画像を表示する画像表示装置であって、光源装置と、前記光源装置から出射された光を変調して前記画像を形成する光変調装置と、前記光源装置の温度を調整する温度調整装置と、前記温度調整装置を制御する制御装置とを備え、前記光源装置は、赤色、緑色及び青色の少なくともいずれかの波長領域にピーク波長を有する光を出射する第１固体光源と、前記波長領域で、かつ、前記第１固体光源から出射される光が有するピーク波長より長波長側にピーク波長を有する光を出射する第２固体光源とを備え、前記温度調整装置は、前記第１固体光源の温度を調整する第１調整部と、前記第２固体光源の温度を調整する第２調整部とを備え、前記制御装置は、前記第１調整手段及び前記第２調整手段を個別に制御して、前記第１調整部に前記第１固体光源の温度を調整させ、前記第２調整部に前記第２固体光源の温度を調整させることを特徴とする。
【０００８】
ここで、例えば、赤色の波長領域は、６１０〜７６０ｎｍの波長領域であり、緑色の波長領域は、５００〜５６０ｎｍの波長領域であり、青色の波長領域は、４３５〜４８０ｎｍである。
上記一態様によれば、それぞれ同じ色光に区分される光を出射する第１固体光源及び第２固体光源のうち、第２固体光源は、第１固体光源より長波長側にピーク波長を有し、これら第１固体光源及び第２固体光源は、制御手段の制御の下、第１調整部及び第２調整部により個別に温度を調整される。従って、各固体光源の温度を個別にかつ適切に調整できる。
【０００９】
上記一態様では、前記第１個体光源及び前記第２個体光源の少なくともいずれかの温度を検出する温度検出装置を備え、前記制御装置は、前記温度検出装置による検出結果に基づいて、前記第１調整部及び前記第２調整部に、前記第１固体光源及び前記第２固体光源のそれぞれの温度を調整させることが好ましい。
【００１０】
上記一態様によれば、温度検出装置による検出結果に基づいて、第１調整部による第１固体光源の温度調整、及び、第２調整部による第２固体光源の温度調整が実行されるので、第１固体光源及び第２固体光源の実際の温度に応じた温度調整を実行できる。そして、これにより、第１固体光源の温度及び第２固体光源の温度を所望の温度に調整することができる。従って、各固体光源から出力される光のピーク波長を、所望の波長に確実に合わせることができる。
【００１１】
また、上記一態様では、前記制御装置は、前記画像情報が、第１画像により構成される情報であるか、それぞれ異なる第２画像及び第３画像を含む情報であるかを判定する画像判定部と、前記画像判定部による判定結果に基づいて、前記温度調整装置を制御する調整制御部とを備え、前記調整制御部は、前記画像判定部により、前記画像情報が前記第１画像により構成される情報であると判定されると、前記第１調整手段及び前記第２調整手段を制御して、前記第１固体光源のピーク波長と、前記第２固体光源のピーク波長とが近付くように、前記第１固体光源及び前記第２固体光源の温度を調整し、前記画像判定部により、前記画像情報が前記第２画像及び前記第３画像を含む情報であると判定されると、前記第１調整手段及び前記第２調整手段を制御して、前記第１固体光源のピーク波長と、前記第２固体光源のピーク波長とが離れるように、前記第１固体光源及び前記第２固体光源の温度を調整することが好ましい。
【００１２】
なお、第１画像は、２次元画像を形成するための画像を例示でき、第２画像及び第３画像は、それぞれ、視差画像である左目用画像及び右目用画像や、それぞれ関連性のない画像を例示できる。
上記一態様によれば、第１画像を形成する場合には、温度調整装置による温度調整がなされることで、第１固体光源のピーク波長と第２固体光源のピーク波長とが近づけられる。これによれば、ほぼ単一のピーク波長を有する光を出射することができるので、出力される光により画像が形成される過程での当該光の損失を抑制でき、輝度が高い第１画像を形成できる。
また、第２画像及び第３画像を形成する場合、第１固体光源のピーク波長と、第２固体光源のピーク波長とを離す。これによれば、第２画像を第１固体光源から出射される光により形成し、第３画像を第２固体光源から出射された光により形成することで、第２画像と第３画像とを、形成する光の波長によって分離しやすくすることができる。
【００１３】
また、上記一態様では、前記第１調整部及び前記第２調整部は、前記第１固体光源及び前記第２固体光源のうち、対応する固体光源に接続される放熱体をそれぞれ備え、前記温度調整装置は、前記第２固体光源に接続される前記放熱体、及び、前記第１固体光源に接続される前記放熱体に冷却媒体を送出する媒体送出手段を備え、前記第２固体光源に接続される前記放熱体は、前記第１固体光源に接続される前記放熱体に対して、前記媒体送出手段により送出される冷却媒体の流路における上流側に配置されることが好ましい。
【００１４】
なお、媒体送出手段としては、冷却媒体が空気である場合にはファン等を含む各種空冷手段を挙げることができ、また、冷却媒体がエチレングリコールや水等の冷却液である場合にはポンプ等を含む各種液冷手段を挙げることができる。
ここで、第２固体光源のピーク波長は、第１固体光源のピーク波長より高い。また、第１固体光源及び第２固体光源は、発光により熱が生じるので、各固体光源から出射される光の波長は、長波長側にシフトしやすい。このため、これら第１固体光源及び第２固体光源の温度を調整する際には、第１固体光源より第２固体光源の方が高い冷却効率を求められる。
これに対し、第２固体光源に接続される放熱体を冷却媒体の流路の上流側に配置することにより、第１固体光源に比して第２固体光源の冷却効率を高くすることができる。従って、第２固体光源の温度調整を適切に実施できる。
また、前述の第１画像を表示する構成である場合には、第１固体光源に比べて長波長側にピークを持つ第２固体光源を効率よく冷却することができ、ひいては、第１固体光源及び第２固体光源のそれぞれから出射された光の出力波長を所望の出力波長に近づけやすくすることができる。
【図面の簡単な説明】
【００１５】
【図１】本発明の第１実施形態に係る画像表示システムを示す模式図。
【図２】前記第１実施形態におけるプロジェクターの構成を示すブロック図。
【図３】前記第１実施形態におけるプロジェクターの構成を示す模式図。
【図４】前記第１実施形態における光源装置の構成を示す模式図。
【図５】前記第１実施形態における青色光用の第１固体光源群及び第２固体光源群の出力波長を示すグラフ。
【図６】前記第１実施形態における青色光用の第１固体光源群の出力波長変化を示すグラフ。
【図７】前記第１実施形態における青色光用の第２固体光源群の出力波長変化を示すグラフ。
【図８】前記第１実施形態における青色光用の第１固体光源群の出力波長変化を示すグラフ。
【図９】前記第１実施形態における青色光用の第２固体光源群の出力波長変化を示すグラフ。
【図１０】前記第１実施形態の光源ユニットの一変形例の構成を示す模式図。
【図１１】前記第１実施形態の光源ユニットの一変形例の構成を示す模式図。
【図１２】前記第１実施形態の光源装置の一変形例の構成を示す模式図。
【図１３】本発明の第２実施形態における光源装置の構成を示す模式図。
【図１４】前記第２実施形態の光学装置の一変形例の構成を示す模式図。
【発明を実施するための形態】
【００１６】
［第１実施形態］
以下、本発明の第１実施形態について、図面に基づいて説明する。
［画像表示システムの概略構成］
図１は、本実施形態に係る画像表示システム１０を示す模式図である。
本実施形態に係る画像表示システム１０は、図１に示すように、スクリーンＳｃの被投射面に画像を投射して当該画像を表示する画像表示装置としてのプロジェクター１と、観察者により装着される眼鏡９とを備える。
これらのうち、プロジェクター１は、第１画像としての２次元画像を表示する場合と、第２画像及び第３画像を交互に表示する場合とを切替可能に構成されている。このような第２画像及び第３画像としては、それぞれ視差画像である右目用画像及び左目用画像を例示できる。そして、右目用画像及び左目用画像が交互に表示される場合には、眼鏡９を介して各画像を観察することで、視差により立体視可能な画像（以下「３次元画像」という）を観察できる。
【００１７】
［眼鏡の構成］
眼鏡９は、上記３次元画像表示時に観察者に装着され、右目用画像を観察者の右目に、左目用画像を観察者の左目に入射させる機能を有する。この眼鏡９は、観察者の左目に応じて設けられる左目用選択部９１Ｌと、観察者の右目に応じて設けられる右目用選択部９１Ｒとを備える。そして、左目用選択部９１Ｌは、後述する左目用画像を形成する赤色光、緑色光及び青色光を透過可能なバンドパスフィルターを有し、右目用選択部９１Ｒは、同様に右目用画像を形成する赤色光、緑色光及び青色光を透過可能なバンドパスフィルターを有する。これら赤色光、緑色光及び青色光は、詳しくは後述するが、左目用画像と右目用画像とで波長が異なる。
【００１８】
このような眼鏡９を介して、表示された３次元画像を観察すると、観察者の左目には、左目用選択部９１Ｌを透過した左目用画像が入射され、観察者の右目には、右目用選択部９１Ｒを透過した右目用画像が入射される。これにより、左目用画像を左目にて、右目用画像を右目にて観察でき、３次元画像が視認される。
【００１９】
［プロジェクターの構成］
図２は、プロジェクター１の構成を示すブロック図である。また、図３は、プロジェクター１の構成を示す模式図である。
プロジェクター１は、光源装置４から出射された光を変調して、画像情報に応じた画像を形成し、当該画像を前述の被投射面上に拡大投射する。このプロジェクター１は、筐体２と、当該筐体２内に収納される光学装置３とを備える。また、図２に示すように、プロジェクター１は、当該プロジェクター１の構成部品の温度を適切な温度に調整する温度調整装置５と、光学装置３が備える光源装置４の温度を検出する温度検出装置６と、当該プロジェクターを制御する制御装置７とを備える。なお、図示を省略するが、プロジェクター１は、当該プロジェクター１の電子部品に電力を供給する電源装置等を備える。
【００２０】
［光学装置の構成］
光学装置３は、制御装置７から入力される駆動信号に応じた画像を形成して、当該画像を投射する。図３に示すように、この光学装置３は、光源装置４、均一照明装置３１、色分離装置３２、リレー装置３３、光変調装置３４、色合成装置３５及び投射光学装置３６を有する。
これらのうち、光源装置４は、均一照明装置３１に向けて青色光、緑色光及び赤色光を含む光を出射する。なお、光源装置４の構成については、後に詳述する。
【００２１】
均一照明装置３１は、光源装置４から入射される光の光軸に対する直交面内の照度を均一化して、後述する各光変調装置３４の画像形成領域を略均一に照明する。この均一照明装置３１は、第１レンズアレイ３１１、第２レンズアレイ３１２、偏光変換素子３１３及び重畳レンズ３１４を備える。
【００２２】
色分離装置３２は、均一照明装置３１から入射される光から、赤（Ｒ）、緑（Ｇ）及び青（Ｂ）の各色光を分離する。この色分離装置３２は、青色光を透過させ、緑色光及び赤色光を反射させるダイクロイックミラー３２１と、緑色光を緑色光用の光変調装置３４（３４Ｇ）に向けて反射させ、赤色光を透過させるダイクロイックミラー３２２と、入射される青色光を反射させて、青色光用の光変調装置３４（３４Ｂ）に導く全反射ミラー３２３とを備える。
【００２３】
リレー装置３３は、ダイクロイックミラー３２２を透過した赤色光を、赤色光用の光変調装置３４（３４Ｒ）に導くものであり、入射側レンズ３３１、リレーレンズ３３３及び全反射ミラー３３２，３３４を備える。
【００２４】
光変調装置３４（赤色光用、緑色光用及び青色光用の光変調装置をそれぞれ３４Ｒ，３４Ｇ，３４Ｂとする）は、それぞれ、入射された光を変調して、上記駆動信号に応じた画像を形成する。これら光変調装置３４は、詳しい図示を省略するが、当該画像信号に応じて駆動する液晶パネルと、当該液晶パネルを挟む一対の偏光板とを備える液晶ライトバルブとして構成されている。
色合成装置３５は、クロスダイクロイックプリズムにより構成され、各光変調装置３４から入射される色光毎の変調光（画像）を合成してフルカラーの画像光を形成する
投射光学装置３６は、色合成装置３５により合成された画像光を被投射面上に拡大投射する。この投射光学装置３６は、詳しい図示を省略するが、鏡筒と、当該鏡筒内に配置される複数のレンズとを有する組レンズとして構成されている。
【００２５】
［光源装置の構成］
図４は、光源装置４の構成を示す模式図である。
光源装置４は、前述のように、赤色光、緑色光及び青色光を含む光を均一照明装置３１に出射する。この光源装置４は、図４に示すように、３つの光源ユニット４０、３つの集光装置４７及び１つのクロスダイクロイックプリズム４８を有する。
これらのうち、クロスダイクロイックプリズム４８は、前述の色合成装置３５と同様のプリズムによって構成され、赤色光、緑色光及び青色光がそれぞれ個別に入射される３つの光入射面と、これら各色光が合成された光を出射する１つの光出射面とを有する。
各集光装置４７は、各光源ユニット４０と、クロスダイクロイックプリズム４８における当該光源ユニットに対応する光入射面との間に設けられる。これら集光装置４７は、それぞれ、対応する光源ユニット４０から入射される光を集光する集光レンズ４７１と、当該集光レンズ４７１により集光された光を平行化して、対応する光入射面に入射させる平行化レンズ４７２とを備える。
【００２６】
３つの光源ユニット４０は、赤色光を出射する赤色ユニット４０Ｒ、緑色光を出射する緑色ユニット４０Ｇ、及び、青色光を出射する青色ユニット４０Ｂである。
これら各光源ユニット４０Ｒ，４０Ｇ，４０Ｂは、出射する光の波長が異なる点以外は、同様の構成を有するので、以下の説明では、青色ユニット４０Ｂについて説明し、他のユニット４０Ｒ，４０Ｇについては説明を省略する。
【００２７】
青色ユニット４０Ｂは、当該青色ユニット４０Ｂから出射される光の中心軸に対する直交方向の一端側に配置される第１光源群Ｂ１と、他端側に配置される第２光源群Ｂ２を備える。これらのうち、第１光源群Ｂ１は、マトリクス状に配列された複数の固体光源である第１固体光源Ｂ１１を有し、同様に、第２光源群Ｂ２は、マトリクス状に配列された複数の固体光源である第２固体光源Ｂ２１を有する。これら第１固体光源Ｂ１１及び第２固体光源Ｂ２１は、本実施形態では、ＬＤ（Laser Diode）が採用されている。
これら第１固体光源Ｂ１１及び第２固体光源Ｂ２１は、それぞれ同じ青色光に区分される波長領域の光を出射する。しかしながら、第１固体光源Ｂ１１が出射する青色光の波長域と、第２固体光源Ｂ２１が出射する青色光の波長域とは、それぞれ異なる。
【００２８】
図５は、第１固体光源Ｂ１１及び第２固体光源Ｂ２１から出射される青色光の出力波長を示すグラフである。なお、図５においては、第１固体光源Ｂ１１及び第２固体光源Ｂ２１から出射される青色光の出力波長を、それぞれ実線及び点線で示す。
具体的に、第１固体光源Ｂ１１と第２固体光源Ｂ２１とを同条件（同じ温度で、かつ、同じ電力）で発光させた場合には、図５に示すように、第１固体光源Ｂ１１は、第２固体光源Ｂ２１に比べて短波長側の青色光を出射する。換言すると、第２固体光源Ｂ２１が出射する青色光の波長域は、第１固体光源Ｂ１１が出射する青色光の波長域に比べて長波長側である。
【００２９】
上述の出力波長の関係となる第１光源群Ｂ１及び第２光源群Ｂ２を構成するには、例えば、同条件で点灯させた複数の固体光源から、各色領域における基準波長よりも短波長側にピーク波長をもつ個体を第１固体光源Ｂ１１として選別し、長波長側にピーク波長をもつ個体を第２固体光源Ｂ２１として選別する。そして、第１固体光源Ｂ１１を組み合わせて第１光源群Ｂ１を構成し、第２固体光源Ｂ２１を組み合わせて第２光源群Ｂ２を構成する。
【００３０】
なお、この基準波長は、複数の固体光源から、短波長側にピーク波長をもつ第１光源群用の固体光源と、長波長側にピーク波長をもつ第２光源群用の固体光源とに選別することができればどのような値でもよい。例えば、基準波長は、固体光源の各色におけるピーク波長の製造時の設計値としてもよいし、所定の駆動条件で駆動した際の所望のピーク波長であってもよいし、所定の駆動条件で駆動した際の各色におけるピーク波長の平均値であってもよい。また、第１光源群Ｂ１の波長域と第２光源群Ｂ２の波長域とは、少なくともそれらの一部が重なっていてもよく、また完全に分離されていてもよい。
【００３１】
赤色ユニット４０Ｒ及び緑色ユニット４０Ｇも、青色ユニット４０Ｂと同様の構成及び配置を備える。
すなわち、赤色ユニット４０Ｒは、出射される光の中心軸に対する直交方向の一端側に配置され、複数の第１固体光源Ｒ１１が配設された第１光源群Ｒ１と、他端側に配置され、複数の第２固体光源Ｒ２１が配設された第２光源群Ｒ２とを備える。そして、第２固体光源Ｒ２１が出射する赤色光の波長域は、第１固体光源Ｒ１１が出射する赤色光の波長域に比べて長波長側である。
また、緑色ユニット４０Ｇは、出射される光の中心軸に対する直交方向の一端側に配置され、複数の第１固体光源Ｇ１１が配設された第１光源群Ｇ１と、他端側に配置され、複数の第２固体光源Ｇ２１が配設された第２光源群Ｇ２とを備える。そして、第２固体光源Ｇ２１が出射する緑色光の波長域は、第１固体光源Ｇ１１が出射する緑色光の波長域に比べて長波長側である。
【００３２】
［温度調整装置の構成］
温度調整装置５は、本発明の温度調整装置に相当し、図４に示すように、赤色ユニット４０Ｒの温度を調整する赤用温度調整手段５Ｒ、緑色ユニット４０Ｇの温度を調整する緑用温度調整手段５Ｇ、及び、青色ユニット４０Ｂの温度を調整する青用温度調整手段５Ｂを備える。
これらのうち、青用温度調整手段５Ｂは、第１光源群Ｂ１の温度を調整する第１調整部５Ｂ１と、第２光源群Ｂ２の温度を調整する第２調整部５Ｂ２と、ファン５Ｂ３とを有する。
【００３３】
第１調整部５Ｂ１は、本発明の第１調整部に相当し、各第１固体光源Ｂ１１から熱が伝導される受熱体（図示省略）と、放熱体としてのヒートシンク５Ｂ１１と、当該受熱体に伝導された熱をヒートシンク５Ｂ１１に伝導する熱伝素子であるペルチェ素子５Ｂ１２とを有する。
同様に、第２調整部５Ｂ２は、本発明の第２調整部に相当し、各第２固体光源Ｂ２１から熱が伝導される受熱体（図示省略）と、放熱体としてのヒートシンク５Ｂ２１と、受熱体に伝導された熱をヒートシンク５Ｂ２１に伝導する熱伝素子であるペルチェ素子５Ｂ２２とを有する。
【００３４】
ペルチェ素子５Ｂ１２，５Ｂ２２は、図４に示すように、第１光源群Ｂ１において光出射面とは反対側の面に設けられた受熱体から熱を吸熱し、当該熱をヒートシンク５Ｂ１１，５Ｂ２１に伝導する。
ヒートシンク５Ｂ１１，５Ｂ２１は、ペルチェ素子５Ｂ１２，５Ｂ２２における第１光源群Ｂ１，Ｂ２側とは反対側の面に設けられる。これらヒートシンク５Ｂ１１，５Ｂ２１は、ファン５Ｂ３から送出される冷却空気の流路上に配置される。
【００３５】
ファン５Ｂ３は、本発明の媒体送出手段に相当し、上記ヒートシンク５Ｂ１１，５Ｂ２１に冷却媒体としての空気を送風して、当該ヒートシンク５Ｂ１１，５Ｂ２１、ひいては、第１固体光源Ｂ１１及び第２固体光源Ｂ２１を冷却する。
ここで、ファン５Ｂ３から送出される冷却空気の流路上において、ヒートシンク５Ｂ２１は、ヒートシンク５Ｂ１１より上流側に位置する。このため、ペルチェ素子５Ｂ１２，５Ｂ２２に同じ電圧が印加された場合には、第１調整部５Ｂ１より第２調整部５Ｂ２の方が、冷却効率が高い。すなわち、第１固体光源Ｂ１１よりも第２固体光源Ｂ２１の冷却効率が高くなるように、ファン５Ｂ３が配置されている。
【００３６】
なお、赤用温度調整手段５Ｒ及び緑用温度調整手段５Ｇも、青用温度調整手段５Ｂと同様の構成を備える。
すなわち、赤用温度調整手段５Ｒは、第１光源群Ｒ１に接続される受熱体（図示省略）、ヒートシンク５Ｒ１１及びペルチェ素子５Ｒ１２を有する第１調整部５Ｒ１と、第２光源群Ｒ２に接続される受熱体（図示省略）、ヒートシンク５Ｒ２１及びペルチェ素子５Ｒ２２を有する第２調整部５Ｒ２と、ファン５Ｒ３とを備える。そして、ファン５Ｒ３から送出される冷却空気の流路上に位置するヒートシンク５Ｒ１１，５Ｒ２１のうち、ヒートシンク５Ｒ２１は、上流側に位置する。
また、緑用温度調整手段５Ｇは、第１光源群Ｇ１に接続される受熱体（図示省略）、ヒートシンク５Ｇ１１及びペルチェ素子５Ｇ１２を有する第１調整部５Ｇ１と、第２光源群Ｇ２に接続される受熱体（図示省略）、ヒートシンク５Ｇ２１及びペルチェ素子５Ｇ２２を有する第２調整部５Ｇ２と、ファン５Ｇ３とを備える。そして、ファン５Ｇ３から送出される冷却空気の流路上に位置するヒートシンク５Ｇ１１，５Ｇ２１のうち、ヒートシンク５Ｇ２１は、上流側に位置する。
【００３７】
［温度検出装置の構成］
温度検出装置６は、図４に示すように、赤色ユニット４０Ｒの温度を検出する赤用検出部６Ｒ、緑色ユニット４０Ｇの温度を検出する緑用検出部６Ｇ、及び、青色ユニット４０Ｂの温度を検出する青用検出部６Ｂを備える。
これらのうち、青用検出部６Ｂは、第１光源群Ｂ１の温度を検出する第１検出部６Ｂ１と、第２光源群Ｂ２の温度を検出する第２検出部６Ｂ２とを備え、これら各検出部６Ｂ１，６Ｂ２は、対応する光源群Ｂ１，Ｂ２における光出射面ではない面（例えば側面）に設けられている。
また、赤用検出部６Ｒも、第１検出部６Ｒ１及び第２検出部６Ｒ２を備え、それぞれ第１光源群Ｒ１及び第２光源群Ｒ２の温度を検出する。同様に、緑用検出部６Ｇも、第１検出部６Ｇ１及び第２検出部６Ｇ２を備え、それぞれ第１光源群Ｇ１及び第２光源群Ｇ２の温度を検出する。
そして、温度検出装置６は、これら各検出部６Ｒ，６Ｇ，６Ｂによる検出結果を、制御装置７に出力する。
【００３８】
［制御装置の構成］
図２に示す制御装置７は、ＣＰＵ（Central Processing Unit）、ＲＡＭ（Random Access Memory）及びフラッシュメモリー等の回路素子が実装された回路基板として構成され、プロジェクター１全体を制御する。この制御装置７は、上記ＲＡＭ及びフラッシュメモリーにより構成される記憶部７１と、制御部７２とを備える。
記憶部７１は、プロジェクター１を制御するための各種プログラムやデータを記憶する。例えば、記憶部７１は、後述する温度制御処理を実行するためのプログラム及びデータを記憶している。
【００３９】
制御部７２は、記憶部７１に記憶されたプログラム及びデータを上記ＣＰＵが処理することにより実現される。この制御部７２は、図２に示すように、画像処理手段７２１と、表示制御手段７２２と、光源制御手段７２３と、温度制御手段７２４とを機能部として備える。
画像処理手段７２１は、例えば、プロジェクター１の外部から受信される画像情報（データ及び信号を含む）を処理し、当該画像情報に応じた画像をフレームメモリー（図示省略）に描画する。このような画像情報は、１フレーム毎のデータの集まりによってそれぞれ構成されており、当該画像データには、同期信号（垂直同期信号及び水平同期信号）が含まれている。なお、３次元画像の画像データには、左目用画像のデータ及び右目用画像のデータが含まれている。このため、受信された画像情報が、２次元画像の情報であるのか、３次元画像の情報（左目用画像及び右目用画像を含む情報）であるのかを判定することができる。
【００４０】
表示制御手段７２２は、画像処理手段７２１が描画した画像に基づく駆動信号を光変調装置３４に出力して、当該画像を形成させる。この際、受信された画像情報が３次元画像の情報である場合には、表示制御手段７２２は、描画された画像のうち、左目用画像に基づく駆動信号と、右目用画像に基づく駆動信号とを交互に出力して、これら左目用画像と右目用画像とを交互に形成させる。
【００４１】
光源制御手段７２３は、光源装置４の点灯を制御する。
具体的に、受信された画像情報が２次元画像の情報であり、当該２次元画像を表示する場合には、光源制御手段７２３は、前述の第１光源群Ｒ１，Ｇ１，Ｂ１及び第２光源群Ｒ２，Ｇ２，Ｂ２を全て点灯させる。
一方、当該画像情報が３次元画像の情報であり、当該３次元画像を表示する場合には、光源制御手段７２３は、上記同期信号に基づいて、光変調装置３４により左目用画像が形成される期間に、第１光源群Ｒ１，Ｇ１，Ｂ１と第２光源群Ｒ２，Ｇ２，Ｂ２との一方を点灯させ、右目用画像が形成される期間に、他方を点灯させる。
【００４２】
温度制御手段７２４は、温度調整装置５の動作を制御する。
具体的に、温度制御手段７２４は、上記各検出部６Ｒ，６Ｇ，６Ｂによる検出結果に基づいて、各温度調整手段５Ｒ，５Ｇ，５Ｂの第１調整部及び第２調整部を個別に制御し、当該温度調整手段５Ｒ，５Ｇ，５Ｂの温度調整対象である各光源ユニット４０Ｒ，４０Ｇ，４０Ｂの第１光源群及び第２光源群をそれぞれ個別に冷却させて、当該第１光源群及び第２光源群の温度を制御する。
このような温度制御手段７２４による温度制御は、後に詳述する。
【００４３】
［２次元画像表示時の温度制御処理］
上記光源装置４を構成する固体光源は、温度上昇に伴い出力波長が長波長側へシフトし、逆に、温度低下に伴い出力波長が短波長側へシフトするという共通の特性を持つ。
このため、本実施形態に係るプロジェクター１では、上記特性を利用して、上記画像情報が２次元画像の情報である場合、各光源ユニット４０Ｒ，４０Ｇ，４０Ｂにおいて、第１光源群から出力される光の波長域と、第２光源群から出力される光の波長域とを近づけるように、これらの温度を調整すべく温度調整装置５を制御する。
すなわち、プロジェクター１は、２次元画像の表示時には、第１光源群から出射された光の波長域を所定の波長域とするために、当該第１光源群の温度が、当該所定の波長域に対応する所定値に維持されるように、温度調整装置５を制御する。また、第２光源群から出射された光の波長域を当該所定の波長域とするために、当該第２光源群の温度が、当該所定の波長域に対応する所定値に維持されるように、温度調整装置５を制御する。
これにより、第１光源群から射出される光の波長域と、第２光源群から射出される光の波長域を一致又は近づけることができる。
【００４４】
図６は、第１光源群Ｂ１の出力波長が温度上昇により長波長側にシフトする様子を示す。図６では、温度上昇前の第１光源群Ｂ１の出力波長を実線で、温度上昇後の出力波長を二点鎖線で示す。
具体的に、温度制御手段７２４は、第１光源群Ｂ１の出力波長を長波長側にシフトさせて、そのピーク波長が初期のピーク波長（例えば、約４５７ｎｍ）から設定波長（例えば、約４６０ｎｍ）となるように、第１光源群Ｂ１の温度を所定の温度まで上昇させるべく、第１調整部５Ｂ１及びファン５Ｂ３を制御する。
すなわち、温度制御手段７２４は、第１調整部５Ｂ１及びファン５Ｂ３を制御して、第１光源群Ｂ１のピーク波長が上記設定波長となる所定の設定温度になるように、第１検出部６Ｂ１により温度を検出しつつ、第１光源群Ｂ１の温度を上昇させる。この設定温度は、予め記憶部７１に記憶されている。
【００４５】
図７は、第２光源群Ｂ２の出力波長が温度低下により短波長側にシフトする様子を示す。図７では、温度低下前の第２光源群Ｂ２の出力波長を点線で、温度低下後の出力波長を一点鎖線で示す。
また、温度制御手段７２４は、第２光源群Ｂ２の出力波長を短波長側にシフトさせて、そのピーク波長が初期のピーク波長（例えば、約４６２ｎｍ）から設定波長（例えば、約４６０ｎｍ）となるように、第２光源群Ｂ２の温度を所定の温度まで低下させるべく、第２調整部５Ｂ２を制御する。
すなわち、温度制御手段７２４は、第２調整部５Ｂ２を制御して、第２光源群Ｂ２のピーク波長が上記設定波長となる所定の設定温度になるように、第２検出部６Ｂ２により温度を検出しつつ、第２光源群Ｂ２の温度を低下させる。この設定温度も、予め記憶部７１に記憶されている。
【００４６】
また、温度制御手段７２４は、第１光源群Ｇ１及び第１光源群Ｒ１についても、第１光源群Ｂ１と同様の温度制御を行い、それぞれのピーク波長をそれぞれの設定波長になるように長波長側へシフトさせる。同時に、第２光源群Ｇ２及び第２光源群Ｒ２についても、第２光源群Ｂ２と同様の温度制御を行い、それぞれのピーク波長をそれぞれの設定波長になるように短波長側へシフトさせる。例えば、第１光源群Ｇ１は、そのピーク波長が初期のピーク波長５４５ｎｍから設定ピーク波長５５０ｎｍとなるように長波長側にシフトさせ、第２光源群Ｇ２は、そのピーク波長が初期のピーク波長５５５ｎｍから設定ピーク波長５５０ｎｍとるように短波長側にシフトさせる。また、例えば、第１光源群Ｒ１は、そのピーク波長が初期のピーク波長６１５ｎｍから設定ピーク波長６２０ｎｍとなるように長波長側にシフトさせ、第２光源群Ｒ２は、そのピーク波長が初期のピーク波長６２５ｎｍから設定ピーク波長６２０ｎｍとなるように短波長側へシフトさせる。なお、初期のピーク波長とは、前述した第１光源群と第２光源群とを同条件で発光させた場合のピーク波長である。
【００４７】
このような温度制御処理により、各光源ユニット４０Ｒ，４０Ｇ，４０Ｂにおいて、第１光源群から出射される光の波長と、第２光源群から出射される光の波長とを略一致させることができる。又は、このような温度制御処理により、第１光源群から出射される光の波長域と第２光源群から出射される光の波長域とが一部で一致しない場合でも、少なくとも第１光源群から出射される光のピーク波長と第２光源群から出射される光のピーク波長との差を、それぞれの初期のピーク波長での差より小さくすることができる。
【００４８】
［３次元画像表示時の温度制御処理］
本実施形態に係るプロジェクター１では、上記画像情報が３次元画像の情報である場合、左目用画像と右目用画像との分離能を高めるために、上記特性を利用して、各光源ユニット４０Ｒ，４０Ｇ，４０Ｂにおいて、第１光源群から出射される光の波長域と、第２光源群から出射される光の波長域とが離れるように、これらの温度を調整すべく温度調整装置５を制御する。
すなわち、プロジェクター１は、３次元画像の表示時には、第１光源群から出射された光の波長域を所定の波長域とするために、当該第１光源群の温度が、当該所定の波長域に対応する所定値に維持されるように、温度調整装置５を制御する。また、第２光源群から出射された光の波長域を、第１光源群から射出された光の波長域とは異なる所定の波長域とするために、当該第２光源群の温度が、当該所定の波長域に対応する所定値に維持されるように、温度調整装置５を制御する。
【００４９】
図８は、第１光源群Ｂ１の出力波長が温度低下により短波長側にシフトする様子を示す。図８では、温度低下前の第１光源群Ｂ１の出力波長を実線で、温度低下後の出力波長を二点鎖線で示す。
具体的に、温度制御手段７２４は、第１光源群Ｂ１の出力波長を短波長側にシフトさせて、そのピーク波長が設定波長（例えば、約４５５ｎｍ）となるように、第１光源群Ｂ１の温度を所定の温度まで低下させるべく、第１調整部５Ｂ１を制御する。
すなわち、温度制御手段７２４は、第１調整部５Ｂ１を制御して、第１光源群Ｂ１のピーク波長が上記設定波長となる所定の設定温度になるように、第１検出部６Ｂ１により温度を検出しつつ、第１光源群Ｂ１の温度を低下させる。この設定温度は、記憶部７１に記憶されている。
また、温度制御手段７２４は、第１光源群Ｒ１及び第１光源群Ｇ１についても同様に、それぞれのピーク波長が、所定波長（例えば、第１光源群Ｒ１は約６１０ｎｍ、第１光源群Ｇ１は約５４０ｎｍ）になるように温度制御を行う。
【００５０】
図９は、第２光源群Ｂ２の出力波長が温度上昇により長波長側にシフトする様子を示す。図９では、温度上昇前の第２光源群Ｂ２の出力波長を点線で、温度上昇後の出力波長を一点鎖線で示す。
温度制御手段７２４は、第２光源群Ｂ２の出力波長を長波長側にシフトさせて、そのピーク波長が設定波長（例えば、約４６４ｎｍ）となるように、第２光源群Ｂ２の温度を所定の温度まで上昇させるべく、第２調整部５Ｂ２を制御する。
すなわち、温度制御手段７２４は、第２調整部５Ｂ２を制御して、第２光源群Ｂ２のピーク波長が上記設定波長となる所定の設定温度になるように、第２検出部６Ｂ２により温度を検出しつつ、第２光源群Ｂ２の温度を上昇させる。この設定温度も、記憶部７１に記憶されている。
また、温度制御手段７２４は、第１光源群Ｒ１及び第１光源群Ｇ１についても同様に、それぞれのピーク波長が、所定波長（例えば、第１光源群Ｒ１は約６３０ｎｍ、第１光源群Ｇ１は約５６０ｎｍ）になるように温度制御を行う。
【００５１】
このように、第１光源群の出力波長をより短波長側へシフトさせるとともに、第２光源群の出力波長をより長波長側へシフトさせる。その結果、第１光源群及び第２光源群のそれぞれの出力波長を遠ざけることができる。又は、このような温度制御処理により、第１光源群から出射される光の波長域と第２光源群から出射される光の波長域とが一部で互いに重なる場合でも、少なくとも第１光源群から出射される光のピーク波長と第２光源群から出射される光のピーク波長との差を、２次現画像を形成する際のそれぞれのピーク波長の差より大きくすることができる。
【００５２】
前述の眼鏡９の右目用選択部９１Ｒは、第１光源群によって出射された光を変調して形成された右目用画像の各色のピーク波長（青：４５５ｎｍ、緑：５４０ｎｍ、赤：６１０ｎｍ）を中心とする所定範囲の光を透過させるバンドパスフィルターを有する。
また、左目用選択部９１Ｌは、第２光源群によって出射された光を変調して形成された左目用画像の各色のピーク波長（青：４６４ｎｍ、緑：５６０ｎｍ、赤：６３０ｎｍ）を透過させるバンドパスフィルターを有する。
このような眼鏡９を装着した観察者の右目に右目用画像が入射され、左目に左目用画像が入射されることで、表示された画像が３次元画像として視認される。
【００５３】
以上説明した本実施形態にプロジェクター１によれば、以下の効果がある。
すなわち、プロジェクター１は、第１光源群Ｂ１、及び当該第１光源群Ｂ１から出射される光のピーク波長よりも長波長側にピーク波長を有する光を射出する第２光源群Ｂ２を有する。これら第１光源群Ｂ１及び第２光源群Ｂ２は、第１調整部５Ｂ１及び第２調整部５Ｂ２により個別に冷却される。これによれば、第１調整部５Ｂ１及び第２調整部５Ｂ２により、第１光源群Ｂ１及び第２光源群Ｂ２の温度をそれぞれ個別に調整できる。他の色についても同様である。従って、各光源群の温度を適切に調整できる。
【００５４】
また、第１光源群Ｂ１と第２光源群Ｂ２とは、互いに異なる出力波長を有するものの、独立して温度制御が可能に構成されている。従って、互いのピーク波長を近づけるように温度制御を行うことができ、このような制御を行うことにより、第１光源群Ｂ１と第２光源群Ｂ２のピーク波長を一致又は近づけることができる。他の色についても同様である。従って、光源装置４から出射される光の出力を各色の所望の波長に集中させることができる。すなわち、各色光のピーク波長を所望の波長（設定波長）に調整することができる。その結果、画像光の輝度や、彩度を向上させることができる。例えば、ＣＩＥ（国際照明委員会）などで、人間の目の色（分光）感度を示す等色関数や、三刺激値ＸＹＺが定義されている。同じエネルギーであれば、三刺激値ＸＹＺのピークに近い方が人間の目の色（分光）感度は高くなる。人間の目の色（分光）感度について、Ｚ（青）のピークは約４４５ｎｍ、Ｙ（緑）のピークは約５５５ｎｍ、Ｘ（赤）のピークは約６００ｎｍである。また、輝度の感度である被視感度のピークは、Ｙ（緑）と同じ約５５５ｎｍである。製品では、色の再現範囲や、白色の色座標を考慮する必要があるため、全ての色を三刺激値のピークに設定するとは限らない。しかし、所望の波長に集中させることで、所望の波長の色の彩度は高くなるため、より設計値に近い色再現性を実現することができる。
【００５５】
また、プロジェクター１は、全ての固体光源について独立して温度制御を行うのではなく、光源群毎に温度制御を行う構成を有する。従って、全ての固体光源について独立して温度制御を行う場合よりも、制御を単純化でき、装置構成も簡略化できる。すなわち、本実施形態のプロジェクター１によれば、コストを低減することができるとともに、システムを簡略化することができる。
【００５６】
また、プロジェクター１は、各色において第１光源群及び第２光源群の少なくともいずれかの温度を検出する温度検出装置を備える。
これにより、例えば、青色ユニット４０Ｂにおいて、第１光源群Ｂ１及び第２光源群Ｂ２の少なくとも一方の実際の温度に応じた温度調整を実行できる。そして、これにより、第１光源群Ｂ１及び第２光源群Ｂ２の温度を所望の温度に調整することができる。他の色についても同様である。従って、各光源群から出力される光のピーク波長を、所望の波長に確実に合わせることができる。
また、室温や筐体内部の温度の変化等の環境の変化が起こっても、所望の温度調整を実行することができ、環境変化に起因する画質の劣化を抑制することができる。
なお、本実施形態では、特に、第１光源群及び第２光源群のそれぞれに温度検出装置を備える。これにより、各光源群の温度を検出することができるので、より確実に所望の温度調整を実行することができる。
【００５７】
また、プロジェクター１は、画像処理手段７２１によって、画像情報が２次元画像の情報であるか、３次元画像の情報であるかを判定し、この判定結果に基づいて、温度制御手段７２４によって、温度調整装置５を制御する。すなわち、２次元画像の情報である場合、第１光源群Ｂ１のピーク波長と、第２光源群Ｂ２のピーク波長とを近付けるように温度を調整する。一方、３次元画像の情報である場合、第１光源群Ｂ１のピーク波長と、第２光源群Ｂ２のピーク波長とを離すように温度を調整する。他の色についても同様である。
このように、２次元画像を形成する場合、第１光源群のピーク波長と、第２光源群のピーク波長とを近づけることにより、各色の波長領域においてほぼ単一のピーク波長を有する光を出射することができるので、出力される光により画像が形成される過程での当該光の損失を抑制でき、輝度が高い２次元画像を形成できる。
また、３次元画像を形成する場合、右目用画像（第２画像）を形成する第１光源群のピーク波長と、左目用画像（第３画像）を形成する第２光源群のピーク波長とを離すことにより、右目用画像と左目用画像とを、形成する光の波長によって分離しやすくできる。確実に分離できる。これにより、右目用画像と左目用画像とが混在することによる画質劣化（クロストーク）を抑制できる。
【００５８】
また、プロジェクター１では、第１調整部５Ｂ１及び第２調整部５Ｂ２は、それぞれ放熱体としてのヒートシンク５Ｂ１１及びヒートシンク５Ｂ２１備え、ヒートシンク５Ｂ２１は、ヒートシンク５Ｂ１１に対して、ファン５Ｂ３によって形成される冷却空気の気流の上流側に配置される。他の色についても同様である。
上述のように、第２固体光源のピーク波長は、第１固体光源のピーク波長より高いうえに、これらピーク波長は、固体光源の発熱により長波長側にシフトしやすい。このため、これら第１光源群及び第２光源群の温度を調整する際には、第１光源群より第２光源群の方が高い冷却効率を求められる。
従って、上述のように構成されるプロジェクター１では、第１固体光源に比して第２固体光源の冷却効率を高くすることができ、第２固体光源の温度調整を適切に実施できる。
【００５９】
［第１実施形態の第１変形例］
前述の光源装置４の各光源ユニット４０では、当該光源ユニット４０が出射する光の中心軸に対する直交方向の一端側に第１光源群を配置し、他端側に第２光源群を配置した。
ここで、３次元画像を表示する際に、左目用画像は第１光源群及び第２光源群の一方の光源群から出射された光が利用され、右目用画像を形成する場合には他方の光源群から出射された光が利用される。このように、第１光源群及び第２光源群の間に、左右や、上下に固体光源の配置分布の偏りがあり、各光源群から出射される光が通過する伝達経路上での差や、表示素子（液晶パネルの場合はプレチルトなどに起因）の角度特性がある場合、各光源群から射出されスクリーンに到達する光の光量や面内輝度分布に、光源群間で差が生じる。このため、当該第１光源群及び第２光源群の配置では、左目用画像及び右目用画像に輝度むらが生じる可能性がある。
これに対し、以下に示す構成を採用して、当該輝度むらの発生を抑制してもよい。なお、以下の説明では、既に説明した部分と同一又は略同一である部分については、同一の符号を付して説明を省略する。
【００６０】
図１０は、光源ユニット４０の第１変形例である光源ユニット４１を示す模式図である。なお、図１０では、青色用の光源ユニット４１である青色ユニット４１Ｂが示されている。
光源ユニット４１は、光源ユニット４０と同様に、赤色ユニット、緑色ユニット及び青色ユニットとして３つ設けられる。
図１０に示すように、青色ユニット４１Ｂは、第１光源群Ｂ１及び集光レンズ４７１と、第２光源群Ｂ２及び集光レンズ４７１と、平行化レンズ４７２の他、ハーフミラー４７３を備える。そして、第１光源群Ｂ１及び第２光源群Ｂ２は、各光源群Ｂ１，Ｂ２から出射される光の中心軸が、ハーフミラー４７３上で互いに直交するように配置される。
【００６１】
そして、第１光源群Ｂ１から出射され、集光レンズ４７１を透過した光は、ハーフミラー４７３を透過して、平行化レンズ４７２に入射される。また、第２光源群Ｂ２から出射され、集光レンズ４７１を透過した光は、ハーフミラー４７３にて反射され、平行化レンズ４７２に入射される。
そして、平行化レンズ４７２は、入射された光を平行化して、前述のクロスダイクロイックプリズム４８において対応する光入射面に入射される。
他の光源ユニット（赤色ユニット及び緑色ユニット）も、上記青色ユニット４１Ｂと同様の構成を備える。
【００６２】
このような光源ユニット４１によれば、第１光源群Ｂ１及び第２光源群Ｂ２から出射された光は、上記光入射面における同じ領域に重なって入射されるので、光源ユニット４１から出射される光の光軸直交面内の照度を均一にしやすくすることができる。そして、当該光は、上記均一照明装置により更に均一化されるので、光変調装置３４における画像形成領域を均一に照明できる。従って、表示される画像に輝度むらが生じることを抑制できる。
なお、温度検出装置６の各検出部と温度調整装置５の第１調整部及び第２調整部とは、前述の光源ユニット４０の場合と同様に、第１光源群及び第２光源群に応じてそれぞれ設けられる。そして、制御装置７により、前述と同様の温度制御が、第１光源群及び第２光源群に対して行われる。
また、温度調整装置５のファン５Ｂ３（図１０では図示省略）は、第２光源群からの熱が伝導されるヒートシンクが、第１光源群から熱が伝導されるヒートシンクに対して上流側となるように配置される。そして、図示しないダクト等の整流手段で、第１光源群Ｂ１及び第２光源群Ｂ２を冷却する冷却空気の流路が形成される。
【００６３】
［第１実施形態の第２変形例］
図１１は、光源ユニット４０の第２変形例である光源ユニット４２を示す模式図である。なお、図１１では、青色用の光源ユニット４２である青色ユニット４２Ｂが示されている。
また、上記プロジェクター１に対して、光源ユニット４０に代えて、図１１に示す光源ユニット４２を採用することも可能である。
この光源ユニット４２は、図１１に示す青色ユニット４２Ｂのように、第１光源群Ｂ１を構成する第１固体光源Ｂ１１が配置された列と、第２光源群Ｂ２を構成する第２固体光源Ｂ２１が配置された列とが、当該光源ユニット４２から出射される光の中心軸に対する直交方向に沿って交互に配列されている。
【００６４】
具体的に、図１１の例では、第１光源群Ｂ１は、略Ｅ字状の基板上に第１固体光源Ｂ１１が配列された構成を有し、また、第２光源群Ｂ２は、略逆Ｅ字条の基板上に第２固体光源Ｂ２１が配列された構成を有する。そして、第１個体光源Ｂ１１の列と第２個体光源Ｂ２２の列とが列の長手方向と直交する方向において交互に配列されるように、これら第１光源群Ｂ１及び第２光源群Ｂ２は、互いに組み合わされ、第１固体光源Ｂ１１及び第２固体光源Ｂ２１から出射される光の光軸直交面が略矩形とされている。これら第１光源群Ｂ１及び第２光源群Ｂ２から出射された光は、前述の集光レンズ４７１及び平行化レンズ４７２を介して、色ユニットにおいて対応する光入射面に入射される。
なお、他の光源ユニット（赤色ユニット及び緑色ユニット）も、上記青色ユニット４１Ｂと同様の構成を備える。
【００６５】
このような光源ユニット４２によれば、第１個体光源Ｂ１１の配置分布と第２個体光源Ｂ２２の配置分布とが同一領域内に重なり合い、各光源ユニット４２から前述の光軸直交面内の照度が略均一化された光を出射することができるので、前述の光源ユニット４１を採用した場合と同様に、光変調装置３４の画像形成領域を均一に照明できる。従って、形成及び表示される画像に輝度むらが生じることを抑制できる。
更に、各光源ユニット４２において、第１光源群Ｂ１及び第２光源群Ｂ２を集約して配置できるので、当該光源ユニット４２の小型化を図ることができる。
なお、温度検出装置６の各検出部と温度調整装置５の第１調整部及び第２調整部とは、前述の光源ユニット４０の場合と同様に、第１光源群及び第２光源群に応じてそれぞれ設けられ、制御装置７により、前述と同様の温度制御が行われる。
【００６６】
［第１実施形態の第３変形例］
図１２は、光源装置４の変形である光源装置４Ａを示す模式図である。
更に、上記プロジェクター１において、光源装置４に代えて、図１２に示す光源装置４Ａを採用してもよい。この光源装置４Ａは、図１２に示すように、第１光源群４Ａ１、第２光源群４Ａ２、集光レンズ４７１及び平行化レンズ４７２を備える。
これらのうち、第１光源群４Ａ１には、第１固体光源Ｒ１１，Ｇ１１，Ｂ１１がマトリクス状に配列されている。同様に、第２光源群４Ａ２には、第２固体光源Ｒ２１，Ｇ２１，Ｂ２１がマトリクス状に配列されている。これら第１光源群４Ａ１及び第２光源群４Ａ２における各固体光源は、所定の配列規則に基づいて配列されていてもよく、ランダムに配列されていてもよい。また、第１光源群４Ａ１及び第２光源群４Ａ２における各固体光源の数及び比率も適宜変更可能である。
【００６７】
このような光源装置４Ａが採用される場合には、上記光源ユニット４０を赤、緑及び青に応じて設ける場合に比べて、光源装置の構成を簡略化できる他、製造コストを低減できる。更に、第１光源群４Ａ１及び第２光源群４Ａ２の温度制御を、赤、緑及び青の色光ごとに行う必要がないので、当該温度制御についての処理を簡略化できる。
なお、このような光源装置４Ａにおいて、第１光源群４Ａ１及び第２光源群４Ａ２を、光源ユニット４２における第１光源群及び第２光源群のように配置してもよい。
【００６８】
［第２実施形態］
以下、本発明の第２実施形態について説明する。
本実施形態に係る画像表示システムは、前述の画像表示システムと同様の構成を備えるが、画像表示システムに採用されるプロジェクターの光源装置の構成が異なる点で、本実施形態に係る画像表示システムと、上記第１実施形態の画像表示システム１０とは相違する。なお、以下の説明では、既に説明した部分と同一又は略同一である部分については、同一の符号を付して説明を省略する。
【００６９】
図１３は、本実施形態に係る画像表示システムのプロジェクターに採用される光源装置４Ｃの構成を示す模式図である。
本実施形態に係る画像表示システムは、前述の画像表示システム１０と同様の構成を備える。ここで、第１実施形態の画像表示システム１０では、赤、緑及び青の各色光を出射する固体光源を有する光源装置４を採用した。これに対し、本実施形態に係る画像表示システムのプロジェクターは、青色光を出射する固体光源と、当該青色光が照射されることで赤色光及び緑色光を出射する蛍光体とを有する光源装置４Ｃを備える。
具体的に、光源装置４Ｃは、図１３に示すように、青色ユニット４０Ｂ、集光レンズ４７１、波長変換装置４９及び平行化レンズ４７２を備える。
この青色ユニット４０Ｂから出射された青色光は、集光レンズ４７１で集光され、波長変換装置４９に入射される。また、波長変換装置４９から出射された光は、平行化レンズ４７２で平行化された後、前述の均一照明装置３１に入射される。
【００７０】
波長変換装置４９は、入射された光のうち、一部の光の波長を変換して、当該変換された光と、変換されていない光とを出射する。具体的に、波長変換装置４９は、青色ユニット４０Ｂから入射される青色光のうち、一部の光を透過し、他の光を赤色光及び緑色光に変換し、これら赤色光、緑色光及び青色光を含む光を平行化レンズ４７２に出射する。
この波長変換装置４９は、回転手段４９２と、当該回転手段４９２により、青色ユニット４０Ｂから出射される光の中心軸と平行な回転軸を中心として回転されるホイール４９１とを備える。
【００７１】
回転手段４９２は、モーターにより構成される。このモーターの駆動は、制御装置７によって制御される。このような回転手段４９２によって回転されることで、ホイール４９１は冷却される。
ホイール４９１における光入射側の面及び光出射側の面の少なくともいずれかには、蛍光層４９３が形成されている。この蛍光層４９３に含まれる蛍光体は、入射される青色光の一部を吸収して励起されることにより、全方位に緑色光及び赤色光を含む光を出射する。このような蛍光体によって波長変換された光（赤色光及び緑色光）と、吸収されなかった青色光は、ホイール４９１を透過して、平行化レンズ４７２に入射される。
【００７２】
このような光源装置４Ｃにおいても、制御装置７により、青色ユニット４０Ｂの第１光源群Ｂ１及び第２光源群Ｂ２の温度が制御される。
これにより、前述のプロジェクター１と同様に、２次元画像表示時には、第１光源群Ｂ１及び第２光源群Ｂ２から、略同じ波長の青色光が出射され、略同じ波長の赤色光、緑色光及び青色光が光源装置４Ｃから出射される。
また、３次元画像表示時においては、第１光源群Ｂ１及び第２光源群Ｂ２から、互いに波長域が離れた青色光が出射されるので、左目用画像及び右目用画像の一方の画像を形成する光の波長と、他方の画像を形成する光の波長とを分けることができ、これにより、左目用画像と右目用画像とを分離しやすくすることができる。
【００７３】
以上説明した本実施形態に係る画像表示システムによれば、前述の画像表示システム１０と同様の効果を奏することができる他、以下の効果を奏することができる。
すなわち、上記光源装置４Ａは、温度制御対象として１つの青色ユニット４０Ｂを備えるので、赤、緑及び青の各色光を出射する赤色ユニット４０Ｒ、緑色ユニット４０Ｇ及び青色ユニット４０Ｂを備える構成に比べて、温度制御処理を簡略化できる。
【００７４】
［第２実施形態の変形例］
前述の第２実施形態のプロジェクターの光学装置は、１つの青色ユニット４０Ｂを備える光源装置４Ａにより出射された赤色光、緑色光及び青色光を分離して、各色光を光変調装置３４により変調する構成であった。これに対し、以下に示す光学装置３Ａを採用してもよい。
【００７５】
図１４は、光学装置３Ａを示す模式図である。
光学装置３Ａは、前述の光学装置３と同様に、制御装置７から入力される駆動信号に応じた画像を形成及び投射する。この光学装置３Ａは、図１４に示すように、第１光源装置８１及び第２光源装置８２と、第１均一照明装置８３及び第２均一照明装置８４と、色分離装置８５と、リレー装置３３、光変調装置３４、色合成装置３５及び投射光学装置３６とを備える。
【００７６】
第１光源装置８１は、青色光用の光変調装置３４Ｂに入射される青色光を出射する。この第１光源装置８１は、前述の青色ユニット４０Ｂと、集光レンズ４７１及び平行化レンズ４７２を備える。そして、第１光源装置８１は、第１均一照明装置８３に青色光を出射する。なお、当該青色ユニット４０Ｂに応じて、前述の青用温度調整手段５Ｂは設けられている。
第１均一照明装置８３は、第１レンズアレイ３１１、第２レンズアレイ３１２、偏光変換素子３１３及び重畳レンズ３１４を備え、前述の均一照明装置３１と同様に、第１光源装置８１から入射される青色光の光軸直交面内における輝度を均一化して、当該青色光を光変調装置３４Ｂに入射させる。
【００７７】
第２光源装置８２は、赤色光及び緑色光を第２均一照明装置８４に出射する。この第２光源装置８２は、前述の光源装置４Ａと同様に、青色ユニット４０Ｂ、集光レンズ４７１、波長変換装置４９、平行化レンズ４７２とを有する。前記第２実施形態の蛍光層４９３は、入射される青色光の一部を吸収して励起されることにより、緑色光及び赤色光を含む光を出射する蛍光体を含んでいた。一方、本変形例のホイール４９１における光入射側の面及び光出射側の面の少なくともいずれかには、入射された光の略全てを吸収して励起されることにより、緑色光及び赤色光を含む光を出射する蛍光体を含んだ蛍光層４９３が、形成される。
この第２光源装置８２では、青色ユニット４０Ｂから出射され、集光レンズ４７１を介して波長変換装置４９のホイール４９１に入射された青色光の全ては、赤色光及び緑色光に変換される。そして、変換された赤色光及び緑色光は、平行化レンズ４７２により平行化されて、第２均一照明装置８４に入射される。
なお、当該青色ユニット４０Ｂに対しても、前述の青用温度調整手段５Ｂが別途設けられている。
【００７８】
第２均一照明装置８４は、第１均一照明装置８３と同様に、第１レンズアレイ３１１、第２レンズアレイ３１２、偏光変換素子３１３及び重畳レンズ３１４を備え、第２光源装置８２から入射される赤色光及び緑色光の光変調装置３４での光軸直交面内における照度を均一化する。第２均一照明装置８４から出射された当該赤色光及び緑色光は、色分離装置８５に入射される。
色分離装置８５は、第２均一照明装置８４から入射される赤色光及び緑色光のうち、緑色光を透過し、赤色光を反射させるダイクロイックミラー８５１を備え、当該緑色光は、緑色光用の光変調装置３４Ｇに入射される。
一方、ダイクロイックミラー８５１により反射された赤色光は、リレー装置３３を介して、赤色光用の光変調装置３４Ｒに入射される。
そして、各色光が、対応する光変調装置３４により変調された後、色合成装置３５により合成され、投射光学装置３６により前述の被投射面上に投射される。
【００７９】
このような光学装置３Ａが採用される場合であっても、第１光源装置８１及び第２光源装置８２の各青色ユニット４０Ｂの温度は、制御装置７による制御の元、温度調整装置５による冷却によって調整される。これにより、２次元画像表示時には、第１光源群Ｂ１及び第２光源群Ｂ２から、略同じ波長の青色光が出射され、略同じ波長の赤色光、緑色光及び青色光が各光変調装置３４Ｒ，３４Ｇ，３４Ｂにより変調される。このため、輝度の高い２次元画像を形成及び表示できる。
また、３次元画像表示時においては、第１光源群Ｂ１及び第２光源群Ｂ２から、互いに波長域が離れた青色光が出射されるので、左目用画像及び右目用画像の一方の画像を形成する光の波長と、他方の画像を形成する光の波長とを分けることができ、これにより、左目用画像と右目用画像とを分離しやすくすることができる。
更に、光学装置３Ａは、合計２つの青色ユニット４０Ｂを備える構成であるので、赤色光、緑色光及び青色光に応じて３つの光源ユニット４０を備える構成に比べて、温度制御を簡略化できる。
【００８０】
［実施形態の変形］
本発明は上記実施形態及び各変形例に限定されず、上記実施形態及び各変形例を適宜組み合わせてもよい。また、本発明は、上記各変形例以外にも各種の変形を行ってもよく、本発明の目的を達成できる範囲での変形、改良等は本発明に含まれるものである。
前記各実施形態及び各変形例では、固体光源としてＬＤが採用されたが、本発明はこれに限らず、ＬＥＤ（Light Emitting Diode）やＯＬＥＤ（Organic Light Emitting Diode）等の他の固体光源を有する構成としてもよい。
【００８１】
前記各実施形態及び各変形例では、温度調整装置としての温度調整装置５は、第１光源群及び第２光源群に対する冷却の度合いを制御することで、これら各光源群の温度を調整するとしたが、本発明はこれに限らない。すなわち、当該温度調整装置に代えて、或いは、当該温度調整装置に加えて、第１光源群及び第２光源群をそれぞれ個別に加熱する加熱装置を設けてもよい。
なお、温度を上昇させる場合、温度調整装置５の各調整部のペルチェ素子に付与する電流を反転させて光源群を加熱するようにしてもよいし、光源群から放出される熱量よりも調整部の吸熱量を小さくするようにしてもよい。
【００８２】
上記実施形態及び各変形例では、第１及び第２光源群の両方の出力波長域をそれぞれ逆側へシフトするように制御する方法を開示したが、本発明はこれに限らない。例えば、第１及び第２光源群のうち一方のピーク波長を固定し、他方のピーク波長のみをシフトすることで、第１及び第２光源群のピーク波長を近づけたり、遠ざけたりすることもできる。また例えば、第１及び第２光源群のうち一方のピーク波長を任意の方向へシフトし、他方のピーク波長も同じ方向にシフトし、そのシフト量に差をつけることで、第１及び第２光源群のピーク波長を近づけたり、遠ざけたりすることもできる。
つまり、プロジェクターが２次元画像を形成する際の第１及び第２光源群のピーク波長差が、プロジェクターが３次元画像を形成する際の第１及び第２光源群のピーク波長差より小さくなるように、温度制御処理を実行できればよい。なお、プロジェクターが３次元画像を形成する際の第１及び第２光源群から出射される光の波長域は、完全に分離されていることが望ましいが、少なくとも第１及び第２光源群のピーク波長の光が、眼鏡の左目用選択部９１Ｌが有するバンドパスフィルター及び右目用選択部９１Ｒが有するバンドパスフィルターで選別可能であれば、当該波長域の一部が重なっていてもよい。
【００８３】
前記各実施形態及び各変形例では、温度調整装置５の青用温度調整手段５Ｂは、受熱板、ヒートシンク及びペルチェ素子を有する構成であったが、本発明はこれに限らない。すなわち、第１光源群Ｂ１及び第２光源群Ｂ２を所望の温度に調整するために必要な冷却力を有する温度調整装置であればよい。また、冷却空気を送風する構成に限らず、エチレングリコールや水等の冷却流体を循環させることで、各光源群を冷却する構成としてもよい。他の色についても同様である。
また、温度検出装置６の各検出部は、第１光源群及び第２光源群を所望の温度に調整するために、適切な温度を検出可能であれば、その位置や構成は制限されない。
【００８４】
また、上記実施形態及び各変形例では、温度検出装置６は、第１光源群Ｂ１に設けられる第１検出部６Ｂ１と、第２光源群Ｂ２に設けられる第２検出部６Ｂ２とを備えるとしたが、本発明はこれに限らない。第１光源群Ｂ１及び第２光源群Ｂ２は、通常近い位置に配置されるので、そのどちらか一方に検出部を設ける構成であってもよい。他の色に応じて設けられる検出部についても同様である。
この場合、第１光源群及び第２光源群の一方の温度を検出して、他方の温度も制御可能なように、第１光源群及び第２光源群の駆動時の温度変化の関係を調べておき、これに基づいて、他方の温度も制御するようにすればよい。
なお、第１光源群及び第２光源群のいずれかに検出部を設ける場合、当該第１光源群及び第２光源群のうち、温度調整装置５のファンによって送出される冷却空気の流路の下流側に位置する光源群に配置することが好ましい。流路の上流側よりも下流側の方が冷却効率が低いことから、温度が上昇しやすい光源群の温度を取得できるためである。
また、温度検出装置を備えない構成でもよい。この場合、第１光源群及び第２光源群が所定の温度となるように温度調整装置５を制御するための情報を、種々の駆動条件において予め実験やシミュレーション等により調べておけばよい。
【００８５】
上記実施形態及び各変形例では、複数の固体光源から、予め、短波長側に出力波長をもつ固体光源を選別して、この固体光源を用いて第１光源群を作成し、長波長側に出力波長をもつ固体光源を選別して、この固体光源を用いて第２光源群を作成したが、本発明はこれに限らない。本発明では、第１光源群及び第２光源群は、上述の出力波長の関係であれば、どのような方法で作成してもよい。例えば、複数の固体光源から、任意に固体光源を選んで２つの光源群を作成し、作成した光源群のうち、短波長側に出力波長をもつものを第１光源群として、長波長側に出力波長をもつものを第２光源群として用いてもよい。
【００８６】
上記実施形態及び各変形例では、冷却空気の流路の上流側に第１調整部５Ｂ１のヒートシンク５Ｂ１１が配置され、下流側に第２調整部５Ｂ２のヒートシンク５Ｂ２１が配置されるとしたが、本発明はこれに限定されない。
例えば、冷却空気の流路の下流側に第１調整部５Ｂ１のヒートシンク５Ｂ１１を配置し、上流側に第２調整部５Ｂ２のヒートシンク５Ｂ２１が配置してもよい。他の色についても同様である。このように、第１光源群に接続されるヒートシンクを上流側に配置することにより、第２光源群に比して第１光源群の冷却効率を高くすることができる。従って、第１光源群と第２光源群のピーク波長を離す際に、短波長側にピーク波長を持つ第１光源群を効率よく冷却できる。
【００８７】
前記各実施形態及び各変形例では、温度調整装置５は、光源ユニット４０に対して所定の方向の冷却空気の気流を形成する構成としたが、本発明は限定されない。すなわち、必要に応じて気流の方向を制御するようにしてもよい。
例えば、２次元画像を形成する際に、第２光源群が気流の上流側で第１光源群が下流側となるように冷却媒体の流通方向を制御し、３次元画像を形成する際には、第１光源群が気流の上流側で第２光源群が下流側となるように冷却媒体の流通方向を制御してもよい。これにより、温度を低下させるべき光源群を効率良く冷却することができ、電力消費を低減させることができる。
【００８８】
上記実施形態及び各変形例では、第２画像及び第３画像としての左目用画像及び右目用画像のうち、一方を第１光源群から出射される光により形成し、他方を第２光源群から出射される光により形成するとしたが、本発明はこれに限らない。例えば、第１光源群から出射される光と第２光源群から出射される光とにより、それぞれ関連性の無い画像を形成してもよい。この場合、前述の左目用選択部９１Ｌが有するバンドパスフィルターが観察者の両目に応じて設けられ眼鏡と、右目用選択部９１Ｒが有するバンドパスフィルターが観察者の両目に応じて設けられた眼鏡とを用いることで、当該それぞれ異なる画像を個別に観察できる。
【００８９】
前記各実施形態及び各変形例では、３つの光変調装置３４（３４Ｒ，３４Ｇ，３４Ｂ）を備えるプロジェクターを例示したが、本発明はこれに限らない。すなわち、２つ以下、あるいは、４つ以上の光変調装置を用いたプロジェクターにも、本発明を適用可能である。
前記各実施形態及び各変形例では、光入射面と光出射面とが異なる透過型の液晶パネルを有する光変調装置３４を用いていたが、光入射面と光出射面とが同一となる反射型の液晶パネルを有する光変調装置を採用してもよい。
【００９０】
前記各実施形態及び各変形例では、光変調装置３４（３４Ｒ，３４Ｇ，３４Ｂ）は液晶パネルを有する構成としたが、入射光を画像情報に応じて変調して光学像を形成する光変調装置であれば、他の構成の光変調装置を採用してもよい。例えば、マイクロミラーを用いたデバイスなど、液晶パネル以外の光変調装置を採用してもよい。
【００９１】
上記実施形態及び各変形例では、光源装置４，４Ａは、赤色、緑色及び青色の各色の波長領域に出力波長を持つ光を射出する。しかし、本発明はこれに限らず、少なくとも赤色、緑色及び青色の波長領域のいずれか一つの波長領域に出力波長を有する光を出射する第１光源群と、第１光源群から出射される光が有する出力波長に対応し、当該出力波長と同じ波長領域において、当該出力波長よりも長波長側に出力波長を有する第２光源群とを備える構成でもよい。
【００９２】
前記各実施形態及び各変形例では、光源ユニットは、複数の固体光源が配列された第１光源群と、複数の固体光源が配列された第２光源群とを有するとしたが、本発明はこれに限らない。すなわち、各光源群に設けられる固体光源は１つ以上であれば、数は問わない。また、１つの光源ユニットに設けられる光源群の数も３つ以上であってもよい。
更に、１つのプロジェクターに採用される光源ユニットの数も適宜変更してよく、これに伴い、光学装置の構成も適宜変更してよい。
【００９３】
上記実施形態及び各変形例では、画像表示装置の一例としてプロジェクターについて説明したが、本発明はこれに限らない。例えば、液晶ディプレイ等の画像表示装置に本発明を適用してもよい。この場合、上記光源装置の構成をバックライトとして採用し、当該光源装置が有する第１固体光源及び第２固体光源の温度を制御すればよい。
【産業上の利用可能性】
【００９４】
本発明は、プロジェクターに好適に利用できる。
【符号の説明】
【００９５】
１…プロジェクター、３…光学装置、４，４Ａ…光源装置、５…温度調整装置、６…温度検出装置、７…制御装置、Ｒ１，Ｇ１，Ｂ１…第１光源群、Ｒ１１，Ｇ１１，Ｂ１１…第１固体光源、Ｒ２，Ｇ２，Ｂ２…第２光源群、Ｒ２１，Ｇ２１，Ｂ２１…第２固体光源、５Ｒ１，５Ｇ１，５Ｂ１…第１調整部、５Ｒ２，５Ｇ２，５Ｂ２…第２調整部、５Ｒ１１，５Ｒ２１，５Ｇ１１，５Ｇ２１，５Ｂ１１，５Ｂ２１…ヒートシンク（放熱体）、５Ｒ３，５Ｇ３，５Ｂ３…ファン（媒体送出手段）、３４，３４Ｒ，３４Ｇ，３４Ｂ…光変調装置、７２１…画像処理手段（画像判定部）、７２４…温度制御手段（温度制御部）
【図１】
2014035376.tif 000003
【図２】
2014035376.tif 000004
【図３】
2014035376.tif 000005
【図４】
2014035376.tif 000006
【図５】
2014035376.tif 000007
【図６】
2014035376.tif 000008
【図７】
2014035376.tif 000009
【図８】
2014035376.tif 000010
【図９】
2014035376.tif 000011
【図１０】
2014035376.tif 000012
【図１１】
2014035376.tif 000013
【図１２】
2014035376.tif 000014
【図１３】
2014035376.tif 000015
【図１４】
2014035376.tif 000016